(57)【要約】      （修正有）【課題】身体に沢山あるツボを指圧で刺激したり、身体を擦ったりして自然治癒力を高める指圧マッサージ具を提供する。【解決手段】本考案は、卵を縦軸と直交する面で半分に切った形状の、先端部に釉薬が付いた陶器で作られた指圧マッサージ具である。この陶器指圧マッサージ具は、大きく分けて三種類の使い方があり、ベッド、布団の上に置いて好きな部位を指圧、ベッドや椅子に座って指圧・マッサージ、あとは、自分以外の施術者が指圧・マッサージするものである。この陶器指圧マッサージ具は、先端部を色々な形に作り、ある程度の強い刺激が好きな方には先端部の面積を小さくして尖らせて作成し、弱い刺激が好きな方には、先端部の面積を広くし、なだらかに作成する。【選択図】図６
0003188141.tif 000002
【実用新案登録請求の範囲】
【請求項１】
卵を縦軸と直交する面で半分に切った形状の、釉薬が付いたことを特徴とする陶器で作られた指圧マッサージ具。
【考案の詳細な説明】
【技術分野】
【０００１】
本考案は、身体を指圧したり、マッサージする事が出来る陶器指圧マッサージ具に関するものである。
【背景技術】
【０００２】
従来より、身体を指圧したり、マッサージする事により血液の流れ、気の流れ、リンパ（水）の流れを良くして自然治癒力を高めるものである。陶器は、土・水・火・木など自然界のもので作られているので温かみがあり身体に優しい。先行技術としては、実用新案登録３１１０１００号公報に記載された技術がある。
【先行技術文献】
【特許文献】
【０００３】
【特許文献１】実用新案登録３１１０１００号公報
【考案の概要】
【考案が解決しようとする課題】
【０００４】
日々日常忙しくてなかなか治療院に行けない方（子育て中の方など）、上半身も下半身も痛み症状が重くなる前に、簡単にケアが出来るようにする。今まで、なかなか自分で押すことの出来なかった部位、手で届かなかった部分などが指圧マッサージ出来る。
【課題を解決するための手段】
【０００５】
上記の課題を解決する本考案は、卵を縦軸と直交する面で半分に切った形状の、釉薬が付いた陶器で作られた指圧マッサージ具である。
この陶器指圧マッサージ具は、大きく分けて三種類の使い方がある（（実施）で詳しく説明）、ベッド、布団の上に置いて好きな部位を指圧する。ベッドや椅子に座って指圧・マッサージする。あとは、自分以外の施術者が指圧・マッサージする。
【考案の効果】
【０００６】
この陶器指圧マッサージ具は、陶芸家の方が１個１個手作りで作成しています。特に８（図３）の先端部を色々な形に作ります。ある程度の強い刺激が好きな方には先端部の面積を小さくして尖らせて作成し、弱い刺激が好きな方には、先端部の面積を広くしなだらかに作成します。手に持って指圧マッサージする（図８）の場合は、３（図1）の部分には釉薬が付いていないのでザラザラして滑りません。６（図4）の底面も丸い円ではなく緩やかに凹凸になっているので手にフィットするように作成しています。（図９）の場合は、６（図2）の部分が緩やかに凹凸していますので滑りません。
【図面の簡単な説明】
【０００７】
【図１】陶器指圧マッサージ具の側面図1
【図２】陶器指圧マッサージ具の断面図
【図３】陶器指圧マッサージ具の側面図2
【図４】陶器指圧マッサージ具の底面図
【図５】陶器指圧マッサージ具の使用例図
【図６】陶器指圧マッサージ具の斜め上から
【図７】陶器指圧マッサージ具の斜め上から
【図８】陶器指圧マッサージ具の持ち方
【図９】陶器指圧マッサージ具の持ち方
【図１０】自分で仰向けになって指圧・マッサージ。自分でベッド、椅子などに座って指圧・マッサージ
【図１１】自分で仰向けになって指圧・マッサージ。自分でベッド、椅子などに座って指圧・マッサージ
【図１２】自分で仰向けになって指圧・マッサージ。自分でベッド、椅子などに座って指圧・マッサージ
【図１３】自分で仰向けになって指圧・マッサージ。自分でベッド、椅子などに座って指圧・マッサージ
【図１４】自分で仰向けになって指圧・マッサージ。自分でベッド、椅子などに座って指圧・マッサージ
【図１５】自分で仰向けになって指圧・マッサージ。自分でベッド、椅子などに座って指圧・マッサージ
【図１６】自分で仰向けになって指圧・マッサージ。自分でベッド、椅子などに座って指圧・マッサージ
【図１７】自分で仰向けになって指圧・マッサージ。自分でベッド、椅子などに座って指圧・マッサージ
【図１８】自分で仰向けになって指圧・マッサージ。自分でベッド、椅子などに座って指圧・マッサージ
【図１９】自分で仰向けになって指圧・マッサージ。自分でベッド、椅子などに座って指圧・マッサージ
【図２０】自分で仰向けになって指圧・マッサージ。自分でベッド、椅子などに座って指圧・マッサージ
【図２１】自分で仰向けになって指圧・マッサージ。自分でベッド、椅子などに座って指圧・マッサージ
【図２２】自分で仰向けになって指圧・マッサージ。自分でベッド、椅子などに座って指圧・マッサージ
【図２３】自分で仰向けになって指圧・マッサージ。自分でベッド、椅子などに座って指圧・マッサージ
【図２４】施術者がうつ伏せになった人を指圧・マッサージ
【図２５】施術者がうつ伏せになった人を指圧・マッサージ
【図２６】施術者がうつ伏せになった人を指圧・マッサージ
【図２７】施術者がうつ伏せになった人を指圧・マッサージ
【図２８】施術者がうつ伏せになった人を指圧・マッサージ
【図２９】施術者がうつ伏せになった人を指圧・マッサージ
【図３０】施術者がうつ伏せになった人を指圧・マッサージ
【図３１】施術者がうつ伏せになった人を指圧・マッサージ
【図３２】施術者が横向きになった人を指圧・マッサージ
【図３３】施術者が横向きになった人を指圧・マッサージ
【図３４】施術者が横向きになった人を指圧・マッサージ
【図３５】施術者が横向きになった人を指圧・マッサージ
【図３６】施術者が横向きになった人を指圧・マッサージ
【図３７】施術者が横向きになった人を指圧・マッサージ
【図３８】施術者が横向きになった人を指圧・マッサージ
【図３９】施術者がベッド・椅子などに座った人を指圧・マッサージ
【図４０】施術者がベッド・椅子などに座った人を指圧・マッサージ
【図４１】施術者がベッド・椅子などに座った人を指圧・マッサージ
【図４２】施術者がベッド・椅子などに座った人を指圧・マッサージ
【図４３】施術者がベッド・椅子などに座った人を指圧・マッサージ
【図４４】自分で陶器指圧マッサージ具を床に置いて足裏を指圧・マッサージ
【考案を実施するための形態】
【実施例】
【０００８】
この陶器指圧マッサージ具の製造方法を以下に述べる。陶器指圧マッサージ具は、１度目は900度以上で素焼きをして、２度目は1,200度以上で焼いていて、７（図2）も1ｃｍ〜3ｃｍの厚さに作成していますので、強度も十分にあり破損することはありません。重さも300g〜500ｇあるので、陶器の重みがある分、施術者がそれほど力を入れなくても刺激を得られます。
【０００９】
指圧もマッサージも強すぎる刺激は不快になりますが、特に指圧はある程度の刺激が無いと満足できない事があります。マッサージで身体を擦ったり、筋肉の緊張を緩めるには、強い刺激は不快になります。２（図1）のように釉薬が付いていてツルツルと滑りますので強い刺激にはなりません。万が一肋骨などの骨の上を擦っても痛みはありません。
（図5）で陶器指圧マッサージ具をベッド、布団で使用する時は、体重やベッド、布団の柔らかさで少し沈みますので、指圧マッサージされる刺激も弱くなります。（図１０〜４４）までのポイントを陶器指圧マッサージ具で指圧マッサージすると、身体に沢山あるツボを刺激し血液の流れ、気の流れ、リンパの流れが良くなって身体も軽くなり、自然治癒力も高くなります。
この陶器指圧マッサージ具を使用している状態を、以下の図（写真）に示す。ベッドや布団に置いて身体の重さを利用して指圧する方法（図１０〜１５）。ベッドや椅子に座って自分の手で陶器指圧マッサージ具を持って指圧する方法（図１６〜２３）、施術者がベッドや椅子に座っている方を指圧マッサージする方法（図３９〜４３）、施術者がベッドや布団にうつ伏せに寝ている方を指圧マッサージする方法（図２４〜３１）。施術者がベッドや布団に横向きに寝ている方を指圧マッサージする方法（図３２〜３８）。
【産業上の利用可能性】
【００１０】
本マッサージ具は、使用する用具の製造、流通、使用等の産業の活性化に大きく貢献する。
【符号の説明】
【００１１】
１    陶器で作られた指圧マッサージ具
２    釉薬を付けた部分
３    釉薬がついていない部分
４    陶器で作られた指圧マッサージ具の高さ
５    陶器で作られた指圧マッサージ具の横の長さ
６    陶器で作られた指圧マッサージ具の表面の凹凸
７    陶器で作られた指圧マッサージ具の厚さ
８    陶器で作られた指圧マッサージ具の外表面
【図１】
0003188141.tif 000003
【図２】
0003188141.tif 000004
【図３】
0003188141.tif 000005
【図４】
0003188141.tif 000006
【図５】
0003188141.tif 000007
【図６】
0003188141.tif 000008
【図７】
0003188141.tif 000009
【図８】
0003188141.tif 000010
【図９】
0003188141.tif 000011
【図１０】
0003188141.tif 000012
【図１１】
0003188141.tif 000013
【図１２】
0003188141.tif 000014
【図１３】
0003188141.tif 000015
【図１４】
0003188141.tif 000016
【図１５】
0003188141.tif 000017
【図１６】
0003188141.tif 000018
【図１７】
0003188141.tif 000019
【図１８】
0003188141.tif 000020
【図１９】
0003188141.tif 000021
【図２０】
0003188141.tif 000022
【図２１】
0003188141.tif 000023
【図２２】
0003188141.tif 000024
【図２３】
0003188141.tif 000025
【図２４】
0003188141.tif 000026
【図２５】
0003188141.tif 000027
【図２６】
0003188141.tif 000028
【図２７】
0003188141.tif 000029
【図２８】
0003188141.tif 000030
【図２９】
0003188141.tif 000031
【図３０】
0003188141.tif 000032
【図３１】
0003188141.tif 000033
【図３２】
0003188141.tif 000034
【図３３】
0003188141.tif 000035
【図３４】
0003188141.tif 000036
【図３５】
0003188141.tif 000037
【図３６】
0003188141.tif 000038
【図３７】
0003188141.tif 000039
【図３８】
0003188141.tif 000040
【図３９】
0003188141.tif 000041
【図４０】
0003188141.tif 000042
【図４１】
0003188141.tif 000043
【図４２】
0003188141.tif 000044
【図４３】
0003188141.tif 000045
【図４４】
0003188141.tif 000046